(57)【要約】      （修正有）【課題】保守点検作業時において、昇降路内の乗場の下方に格納されているエレベータ制御盤を、かごの上面に乗ることなく、乗場通路から保守点検可能な位置まで引き出し、収納でき、作業員が容易、且つ安全に保守点検作業を行うことができるエレベータ装置を得る。【解決手段】エレベータの昇降路１内において、所定の乗場の下方で、昇降する当該エレベータのかご２と接触しない位置にエレベータの制御盤３を設け、乗場の敷居５の下方で、昇降する当該かご２と接触しない位置に、当該制御盤３と連結し、当該敷居５の近傍に取っ手７を備えたプレート６を設けるとともに、当該乗場の床下にある当該制御盤３を上方へ引き上げても当該乗場の床及び当該敷居５と接触しない位置へ移動可能とする移動機構９と、上方へ引き上げても当該乗場の床及び当該敷居５と接触しない位置にある当該制御盤３を当該乗場の床面近傍へ移動可能とする牽引補助機構１０とを備える。【選択図】図３
2014024629.tif 000002
【特許請求の範囲】
【請求項１】
エレベータの昇降路内において、所定の乗場の下方で、昇降する当該エレベータのかごと接触しない位置に設けられた当該エレベータの制御盤と、当該乗場の敷居の下方で、昇降する当該かごと接触しない位置に当該制御盤と連結して設けられ、当該敷居の近傍に取っ手を備えたプレートと、作業員が当該乗場から当該取っ手を使って当該乗場側の昇降路壁から遠ざかる方向の力を当該プレートに加えた場合、当該プレートの動きと連動して、当該乗場の床下にある当該制御盤を、上方へ引き上げても当該乗場の床及び当該敷居と接触しない位置へ移動可能とする移動機構と、当該作業員が当該乗場から当該取っ手を使って当該かごが上昇する方向の力を当該プレートに加えた場合、当該プレートの動きと連動して、上方へ引き上げても当該乗場の床及び当該敷居と接触しない位置にある当該制御盤を、当該乗場の床面近傍へ移動可能とする牽引補助機構と、を備えたことを特徴とするエレベータ装置。
【請求項２】
当該牽引補助機構は、上方へ引き上げても当該乗場の床及び当該敷居と接触しない位置にある当該制御盤に対して当該かごが上昇する方向の力を付勢することを特徴とする請求項１記載のエレベータ装置。
【請求項３】
当該制御盤を当該敷居の長手方向に移動可能とする移動機構を更に備えたことを特徴とする請求項１または２記載のエレベータ装置。
【請求項４】
当該制御盤を当該乗場の床面近傍の位置に保持可能とする固定手段を更に備えたことを特徴とする請求項１乃至３記載のエレベータ装置。
【発明の詳細な説明】
【技術分野】
【０００１】
この発明は、エレベータ装置に係り、特にエレベータを制御する制御盤の保守点検時に制御盤を引き出す機構に関するものである。
【背景技術】
【０００２】
従来の機械室を有しないエレベータ装置においては、制御盤を昇降路内にあってかごの昇降と接触しない位置に配設すると共に、制御盤を乗場通路に引き出す機構を備えることが提案されている。例えば、通常時には制御盤を昇降路内の乗場敷居の下方に格納し、保守時には制御盤を乗場通路まで回動して立ち上げる構成が提案されている（特許文献１参照）。
【０００３】
又、他の従来の技術としては、次の技術がある。特定階の乗場の床部分にエレベータの制御盤の収納部を形成する。その収納部内に制御盤を収納すると共に、収納部の上面開口部に点検用の開閉扉を構成する。さらに制御盤の収納部の底壁部と制御盤との間に、上記制御盤を上方に付勢するスプリング等のバネ部材を設ける構成としている（特許文献２参照）。
【先行技術文献】
【特許文献】
【０００４】
【特許文献１】ＷО００／０３９４１号公報（第１０-１１頁、第１３図）
【０００５】
【特許文献２】特開２００１−００２３５３号公報（第４頁、第５図）
【発明の概要】
【発明が解決しようとする課題】
【０００６】
上記特許文献１においては、保守点検作業を乗場通路で行うエレベータの制御盤が、昇降路内の乗場敷居の下方に収納されている。しかし保守点検作業時において、エレベータの制御盤の重量が大きいため、作業員が乗場通路から保守点検可能な位置まで制御盤を持ち上げることは困難である。そこで作業員がかごの上面に乗り、乗場通路側へ回動、立ち上げる構成となっている。又、制御盤を収納する際においても、作業員がかごの上面に乗り、昇降路壁側へ回動、収納する構成となっている。以上のとおり、エレベータの制御盤を保守点検可能な位置まで持ち上げる、又は収納する際、必ず作業員がかごの上に乗って行う作業を伴うため、保守点検の作業性が悪いという課題があった。
【０００７】
上記特許文献２においては、エレベータの制御盤を収納するため、収納部を床部分に形成する。その収納部の上面開口部には、点検用の開閉扉が設けられている。このため、乗場通路の意匠性を損なうことになる。
【０００８】
この発明は、上記のような課題を解決する為になされたもので、エレベータの制御盤をかご上面に乗ることなく、乗場通路から引き出し、収納でき、作業員が容易、且つ安全に保守点検作業を行うことができるエレベータ装置を提供することを目的としている。
【課題を解決するための手段】
【０００９】
この発明に係わるエレベータ装置は、エレベータの昇降路内において、所定の乗場の下方で、昇降する当該エレベータのかごと接触しない位置に設けられた当該エレベータの制御盤と、当該乗場の敷居の下方で、昇降する当該かごと接触しない位置に当該制御盤と連結して設けられ、当該敷居の近傍に取っ手を備えたプレートと、作業員が当該乗場から当該取っ手を使って当該乗場側の昇降路壁から遠ざかる方向の力を当該プレートに加えた場合、当該プレートの動きと連動して、当該乗場の床下にある当該制御盤を、上方へ引き上げても当該乗場の床及び当該敷居と接触しない位置へ移動可能とする移動機構と、当該作業員が当該乗場から当該取っ手を使って当該かごが上昇する方向の力を当該プレートに加えた場合、当該プレートの動きと連動して、上方へ引き上げても当該乗場の床及び当該敷居と接触しない位置にある当該制御盤を、当該乗場の床面近傍へ移動可能とする牽引補助機構とを備えたものである。
【発明の効果】
【００１０】
この発明に係わるエレベータ装置は、昇降路内の所定の乗場の床下にエレベータの制御盤を備え、制御盤を移動可能とする移動機構及び牽引補助機構を設け、制御盤に連結するプレートの動きと移動機構及び牽引補助機構が連動することにより、制御盤を移動させる。このような構成により、作業員は、エレベータの制御盤の保守点検の際、制御盤の引き出し及び引き上げ動作を、かごの上面に乗ることなく、容易に行うことができるので、保守点検の作業性が向上する。
【図面の簡単な説明】
【００１１】
【図１】この発明の実施の形態１における保守点検作業前を示すエレベータの昇降路内の断面図である。
【図２】図１中のＡ部断面図及び平面図（乗場の床の断面図及び平面図）である。
【図３】この発明の実施の形態１における制御盤の引き上げ動作を示すエレベータの昇降路内の断面図である。
【図４】この発明の実施の形態１における制御盤の引き上げ動作を示す乗場の正面図である。
【図５】この発明の実施の形態１における制御盤の保守点検状況を示す乗場の正面図である。
【図６】この発明の実施の形態２における制御盤の引き上げ動作を示すエレベータの昇降路内の断面図である。
【発明を実施するための形態】
【００１２】
実施の形態１．
図１はこの発明の実施の形態１における保守点検作業前の状態を示し、エレベータの制御盤３の収納状態における昇降路１内の断面図である。はじめに、この発明の実施の形態１における制御盤３を収納した状態について説明する。エレベータの昇降路１内を、エレベータのかご２が昇降する。かご２の昇降を制御するためのエレベータの制御盤３は、エレベータの昇降路１内の有効活用されていない空間、例えば階間の乗場通路１３（乗場の床面）の床下もしくは最下階の乗場通路１３床下に設ける。その制御盤３は、保守点検面及び前面カバー４が乗場通路１３側の昇降路壁８に対向するように構成されている。
【００１３】
エレベータの昇降路１内における階間の乗場通路１３の床下の空間、すなわち乗場の敷居５の下方に規定値以上の広さの空間がある場合、通常、この空間を塞ぐために、敷居５の下方近傍に、乗場通路１３側の昇降路壁８に対向するようにフェッシャープレート６（保護面）が設けられる。つまりフェッシャープレート６は、昇降路１内をかご２が昇降する時、階間の乗場通路１３の床下の空間と昇降路１内のかご２が昇降する空間とを隔てている。フェッシャープレート６は、誤ってかご２が階間に停止してかご２の戸が開いたとしても、かご２内の乗客が床下の空間に転落してしまうなどの不慮の事故を未然に防止する役割を持つ。
【００１４】
この発明においてフェッシャープレート６は、制御盤３と連結し、一体となって動くように構成する。制御盤３及びフェッシャープレート６は、乗場通路１３側の昇降路壁８に対して移動可能となるように構成する。すなわち、（１）乗場通路１３側の昇降路壁８から遠ざかる方向、（２）乗場通路１３側の昇降路壁８に近づく方向、（３）かご２が上昇する方向、（４）かご２が下降する方向、にそれぞれ移動可能である。
【００１５】
フェッシャープレート６の上部で昇降路１の内側及び乗場通路１３側に、制御盤３を引き出すための補助手段としての取っ手７を設ける。なお取っ手７には、昇降路１の内側に設けられた取っ手７a及び乗場通路１３側に設けられた取っ手７bの２種類があるが、以降の説明において区別しない場合には、単に取っ手７と称する。又、この取っ手７のうち昇降路１の内側に設けられた取っ手７aは、フェッシャープレート６に乗場通路１３側へ埋め込むように設けられ、未使用時には乗場通路１３側に収納される。すなわち、制御盤３を乗場通路１３の床下に収納した状態において、フェッシャープレート６及び取っ手７は、昇降するかご２と接触しないように設けられている。更に、制御盤３を乗場通路１３の床下に収納した状態において、フェッシャープレート６は、階間の乗場通路１３の床下の空間と昇降路１内のかご２が昇降する空間とを隔てている。
【００１６】
図２-(a)及び図２-(b)は図１中のＡ部の拡大図であり、エレベータの制御盤３を乗場通路１３の床下に収納した状態における敷居５の周辺部分を示す図である。制御盤３を乗場通路１３の床下に収納した状態において、フェッシャープレート６上端の少なくとも左右両端近傍に設けられた穴と、フェッシャープレート６の穴と対応する位置に設けられた敷居５の穴とにロックピン１６を挿入し、フェッシャープレート６を固定する。フェッシャープレート６は、制御盤３と連結しているので、フェッシャープレート６を乗場通路１３側の昇降路壁８に対して固定することにより、制御盤３も乗場通路１３側の昇降路壁８に対して固定されることになる。
【００１７】
図３-(a)及び図４-(a)は、エレベータの制御盤３を乗場通路１３の床下から昇降路１の内側へ引き出した後の状態を示す図である。すなわち乗場通路１３の床面近傍まで、制御盤３を引き上げる前の状態を示す図である。図３-(b)及び図４-(b)は、制御盤３を乗場通路１３の床面近傍まで引き上げた後の状態を示す図である。図５-(a)は保守点検作業時において、制御盤３を乗場通路１３から見て右へ移動する前の状態を示す図である。図５-(b)は制御盤３を右へ移動した後の状態を示す図である。
【００１８】
図３-(a)乃至図５-(b)において、制御盤３を、乗場通路１３側の昇降路壁８から遠ざかる方向又は乗場通路１３側の昇降路壁８に近づく方向、すなわち乗場通路１３側の昇降路壁８に対して垂直方向に移動可能とする、第１の移動機構であるスライドレール９を設ける。
【００１９】
スライドレール９は、制御盤３の下方に設けられ、後述するダンパー１０を介して制御盤３と連結している。作業員１１が制御盤３を昇降路１の内側へ引き出す際、作業員１１が制御盤３を乗場通路１３側の昇降路壁８から遠ざかる方向へ容易に移動可能とするため、スライドレール９の上部には制御盤３の下面と接し、補助機構として働く移動補助機構であるローラー１２を設ける。つまり、作業員１１が乗場通路１３から取っ手７を使って、フェッシャープレート６に対して、乗場通路１３側の昇降路壁８から遠ざかる方向の力を加えた場合、スライドレール９とローラー１２がフェッシャープレート６の動きと連動することにより、制御盤３は昇降路１の内側へと移動する。
【００２０】
スライドレール９の一端には、制御盤３と連結し、かご２が上昇する方向に力を付勢する牽引補助機構であるダンパー１０を設ける。このダンパー１０は、昇降路１の内側へ移動した制御盤３をかご２が上昇する方向に引き上げる際、又は乗場通路１３の床面近傍にある制御盤３をかご２が下降する方向に押し戻す際、かご２が上昇する方向の力を、制御盤３に対して付勢する。つまり、作業員１１が乗場通路１３から取っ手７を使って、フェッシャープレート６に対して、かご２が上昇する方向の力を加えた場合、ダンパー１０がフェッシャープレート６の動きと連動することにより、制御盤３を乗場通路１３の床面近傍まで移動させることができる。又、制御盤３を収納する際、つまり作業員１１が乗場通路１３から取っ手７を使って、フェッシャープレート６に対して、かご２が下降する方向の力を加えた場合においても、ダンパー１０が制御盤３に対してかご２が上昇する方向の力を付勢しているため、自重等により制御盤３が急速に落下してしまうことを防ぐ。
【００２１】
制御盤３の位置を固定する固定手段として、制御盤３の下部には制御盤３を乗場通路１３の床面近傍まで引き上げた後に自動で施錠し、敷居５の溝に勘合するラッチ錠１７を備える。
【００２２】
更に、床下に制御盤３が設けられた所定の乗場通路１３の、直下の階の乗場を囲む三方枠１８の上面に第２の移動機構であるスライドレール１４を設ける。スライドレール１４は、スライドレール９の他端と連結し、制御盤３を左右方向、すなわち乗場の敷居５の長手方向に移動可能とする移動機構である。
【００２３】
次に、保守点検作業時におけるエレベータの制御盤３の引き出し及び引き上げ動作について説明する。まず図３-(a)及び図４-(a)において、作業員１１は乗場の戸１５を開放する。それから敷居５の下方近傍にある、フェッシャープレート６の上部で昇降路１の内側に構成された取っ手７aを保持し、この取っ手７aを乗場通路１３側の昇降路壁８から遠ざかる方向に引っ張る。このときフェッシャープレート６に連結する制御盤３は、スライドレール９の働きにより乗場通路１３側の昇降路壁８から遠ざかる方向に移動する。又、ローラー１２の補助により制御盤３を少ない力で容易に移動させることができる。このような動作により、作業員１１は、乗場通路１３の床下から敷居５よりも昇降路１の内側まで、すなわち上方へ引き上げても乗場通路１３や敷居５と接触しない位置まで、制御盤３を引き出す。
【００２４】
図３-(b)及び図４-(b)において、制御盤３を上方へ引き上げる直前の状態では、制御盤３は上方へ引き上げても乗場通路１３や敷居５と接触しない位置にある。作業員１１は、フェッシャープレート６の乗場通路１３側上部に構成された取っ手７bを保持し、かご２が上昇する方向へ引っ張る。このときダンパー１０が付勢するため、作業員１１は制御盤３を保守点検可能な位置、すなわち制御盤３の保守点検面が乗場通路１３の床面より上方となる位置まで容易に引き上げることができる。
【００２５】
制御盤３を保守点検可能な位置まで引き上げた後、ダンパー１０が、かご２が上昇する方向の力を付勢しているため、制御盤３の高さは固定される。加えて、ラッチ錠１７が自動で施錠して敷居５の溝に勘合することにより制御盤３の位置が確実に固定され、すなわち制御盤３が保守点検可能な状態に保持される。
【００２６】
図５-(a)及び図５-(b)において、制御盤３の位置を固定後に乗場通路１３から保守点検可能な保守点検面の範囲、つまり保守点検可能範囲を変更する場合、作業員１１はラッチ錠１７を開錠し、スライドレール１４の働きにより制御盤３を左右移動させる。その後再びラッチ錠１７を閉錠し制御盤３の位置を固定する。
【００２７】
なおスライドレール１４は、エレベータの制御盤３を保守点検可能な位置まで引き上げた後に左右移動させるための構成である。しかし乗場通路１３の床下には通常、制御盤３及びフェッシャープレート６が左右移動できるだけの空間がある。このためスライドレール１４は、制御盤３を乗場通路１３の床下に収納した状態においても、左右移動する構成としてよい。
【００２８】
このように構成したことにより、保守点検作業の際、作業員１１は、かご２上面に乗ることなく乗場通路１３の床面上からエレベータの制御盤３を引き出し、引き上げることができ、容易、且つ安全に保守点検作業を行うことができる。
【００２９】
又、乗場通路１３の床部分に制御盤３を収納する為の収納部を設ける必要がないため、乗場通路１３の意匠性を損なうことなく構成できる。
【００３０】
制御盤３を乗場通路１３側の昇降路壁８に対して垂直方向に移動可能とするスライドレール９を設け、ローラー１２を設けたことで、制御盤３を、乗場通路１３の床下から上方へ引き上げても乗場通路１３や敷居５と接触しない位置まで、容易に引き出すことができる。
【００３１】
又、制御盤３を上方に引き上げる際、及び下方に押し戻す際に、かご２が上昇する方向の力を付勢するダンパー１０を設けたことで、制御盤３を保守点検可能な位置まで容易に引き上げることができる。制御盤３を収納する際においても、ダンパー１０が付勢しているため、自重による制御盤３の急速な落下を防ぐことができる。
【００３２】
更に、制御盤３の筐体下部にラッチ錠１７を構成し、敷居５の溝に勘合して自動的に施錠する構成としたことで、制御盤３を引き上げた後に制御盤３の位置を容易に固定でき、すなわち制御盤３を容易に保守点検可能な状態に保持することができる。
【００３３】
制御盤３を左右移動可能とするスライドレール１４を設けたことで、制御盤３の全長及び保守点検面の保守点検可能範囲を、乗場の戸１５の出入口幅までに制約されることなく構成することができる。
【００３４】
ロックピン１６を設けたことにより、制御盤３及びフェッシャープレート６を乗場通路１３側の昇降路壁８に対して固定できるため、制御盤３を乗場通路１３の床下に収納した状態において、制御盤３及びフェッシャープレート６が昇降路１の内側、すなわちかご２側へと移動すること及びかご２と衝突することを防止できる。
【００３５】
なお上記実施の形態１においては、第１の移動機構及び第２の移動機構としてスライドレールを用いたが、この発明はこれに限定されるものではなく、伸び縮みする同心円状のパイプ、又はスライドレールの一部にローラーを使うなどの構成にしてもよい。これらの構成のように、第１の移動機構は制御盤３を乗場通路１３側の昇降路壁８に対して垂直方向に移動可能とするものであればよいし、第２の移動機構は制御盤３を左右移動可能とするものであればよい。
【００３６】
牽引補助機構についても、ダンパー１０に限定されるものではなく、バネ部材のようにかご２が上昇する方向の力を付勢し、制御盤３の引き上げ動作を容易にするものであればよい。
【００３７】
又、制御盤３の固定手段は自動で施錠して制御盤３の位置を容易に固定できるため、制御盤３の筐体下部に設けたラッチ錠１７を敷居５の溝に勘合する構成としているが、これに限定されるものではない。例えば制御盤３を引き上げた後、手動で施錠するような錠にしてもよい。他にも、ラッチ錠１７が勘合する溝を、敷居５ではなく別の部品や乗場通路１３の側面に設け、その溝に錠を勘合させて制御盤３を保守点検可能な状態に保持する構成としてもよい。
【００３８】
取っ手７についても上記実施の形態１の記載に限定されるものではない。例えば、取っ手７bは、フェッシャープレート６の乗場通路１３側上部ではなく制御盤３の上面に設けてもよい。この場合も、制御盤３を保守点検可能な位置まで引き上げるための補助手段として利用することができる。
【００３９】
実施の形態２．
図６はこの発明の実施の形態２におけるエレベータ装置の構成を示す図である。エレベータの制御盤３を乗場通路１３の床下から昇降路１の内側へ引き出した後で、乗場通路１３の床面近傍まで引き上げる前の状態を示している。
【００４０】
図６において、この発明の実施の形態２におけるエレベータ装置の構成を説明する。この発明は、実施の形態１に示す発明において一部の構成を変更したものである。つまり、制御盤３の下方に第２の移動機構であるスライドレール１４を設け、牽引補助機構であるダンパー１０を介して制御盤３と連結構成する。更に、スライドレール１４の下方には、制御盤３が設けられた階の、直下の階の乗場を囲む三方枠１８の上面に一端が固定された、第１の移動機構であるスライドレール９を連結構成している。
【００４１】
作業員１１は、制御盤３を乗場通路１３の床下から引き出す際、スライドレール９の働きを利用して、制御盤３、スライドレール１４及びダンパー１０を同時に乗場通路１３側の昇降路壁８から遠ざかる方向に移動させる。制御盤３を、上方へ引き上げても乗場通路１３や敷居５と接触しない位置まで引き出した後、作業員１１は、ダンパー１０の付勢を利用して、制御盤３を保守点検可能な位置まで引き上げる。
【００４２】
以上の構成により、実施の形態１と同様な効果を奏し、制御盤３の引き出し及び引き上げ動作を、作業員１１はかご２上面に乗ることなく乗場通路１３上から容易に行うことができ、保守点検の作業性が向上する。又、乗場通路１３の床部分に制御盤３を収納する為の収納部を設ける必要がないため、乗場通路１３の意匠性を損なうことなく構成できる。
【００４３】
又、制御盤３を保守点検可能な位置まで引き上げた後、制御盤３の保守点検可能な保守点検面を変更するとき、制御盤３及びフェッシャープレート６を左右移動させてもスライドレール９は左右移動しない。このため、乗場通路１３の床下に収納している状態において制御盤３が左右移動しない構成とすれば、乗場通路１３の床下に制御盤３、フェッシャープレート６及びスライドレール９が左右移動できるだけの空間を必要としない。
【００４４】
なお、上記実施の形態１及び実施の形態２において、保守点検の作業時に、エレベータの制御盤３を乗場通路１３の床下から引き出し、乗場通路１３の床面近傍まで引き上げるようにしたが、この発明はこれに限定されるものではない。つまり、エレベータの制御盤３とは、かご２の昇降動作を直接制御する盤だけでなく、広くエレベータの動作に関係する盤を含むものであり、例えばバッテリーを設ける盤や増設基板を設ける盤などの盤について引き出し、引き上げるようにしてもよい。この他制御盤３を分割し、別の階間の乗場通路１３床下に設け、それぞれ引き出し、引き上げられるように構成してもよい。又、分割した制御盤３や上記の別の盤などそれぞれの盤について、同様にそれぞれ別の階間の乗場通路１３床下に設け、それぞれ引き出し、引き上げられるように構成してもよい。
【符号の説明】
【００４５】
１    昇降路
２    かご
３    制御盤
４    前面カバー
５    敷居
６    フェッシャープレート
７    取っ手
８    昇降路壁
９    スライドレール
１０  ダンパー
１１  作業員
１２  ローラー
１３  乗場通路
１４  スライドレール
１５  乗場の戸
１６  ロックピン
１７  ラッチ錠
１８  三方枠
【図１】
2014024629.tif 000003
【図２】
2014024629.tif 000004
【図３】
2014024629.tif 000005
【図４】
2014024629.tif 000006
【図５】
2014024629.tif 000007
【図６】
2014024629.tif 000008